(57)【要約】      （修正有）【課題】創傷部への設置に手間がかからず、取り扱いが容易で、治療時間を短縮して患者に負担をかけない創傷部治療器具を提供する。【解決手段】創傷部治療器具１０を、接続コネクタ２４と、吸引創傷部チューブ２６（ａ）と、供給創傷部チューブ２６（ｂ）と、被覆シート３０と、連結コネクタ５６と、から構成した。接続コネクタ２４は、側面及び上面を有し、側面に、２つの凹部３８（ａ）及び３８（ｂ）を設け、凹部３８（ａ）には、吸引側面接続口（側面接続口）１２（ａ）及び圧力測定口を設け、凹部３８（ｂ）には、供給側面接続口（側面接続口）１２（ｂ）及び圧力測定口を設けた。【選択図】図１
2014239886.tif 000002
【特許請求の範囲】
【請求項１】
側面接続口を少なくとも１つ設けた側面、及び外部接続口を少なくとも１つ設けた上面を有し、該側面接続口から該外部接続口まで貫通する接続通路が少なくとも１つ設けられ、該上面はシール面を有する接続コネクタと、
前記接続コネクタの前記側面接続口に連結される創傷部チューブと、
開口孔を有する被覆シートと、
前記接続コネクタの前記外部接続口に連結される外部接続具と、
を備え、
前記被覆シートが創傷部を覆って閉塞部が形成され、
前記閉塞部が形成された時に、前記接続コネクタの前記シール面は前記被覆シートの前記開口孔の周囲を密封し、前記創傷部チューブは前記閉塞部内に配置され、前記接続コネクタの前記外部接続口は該閉塞部の外部と連通可能である、
創傷部治療器具。
【請求項２】
前記創傷部チューブは、前記創傷部側の先端付近を、前記閉塞部内に配置された多孔質パッド内に埋め込んだ状態で配置される請求項１に記載する
創傷部治療器具。
【請求項３】
前記創傷部チューブが湾曲又は折曲可能である請求項１又は２に記載する創傷部治療器具。
【請求項４】
前記接続コネクタの前記側面が凹部を備え、該凹部に前記側面接続口が設けられた請求項１〜３のいずれかに記載する創傷部治療器具。
【請求項５】
前記外部接続口の少なくとも１つが前記閉塞部外の圧力計と連通し、
前記圧力計と連通する前記外部接続口と連通し、前記閉塞部内の圧力を測定するための圧力測定口を、前記接続コネクタの下面及び／又は下面以外に、少なくとも１つ備えた、
請求項１〜４のいずれかに記載する創傷部治療器具。
【請求項６】
前記接続コネクタの前記側面が凹部を備え、該凹部に前記圧力測定口の少なくとも１つが設けられた請求項５に記載する創傷部治療器具。
【請求項７】
前記圧力測定口の少なくとも１つが、前記側面接続口の少なくとも１つに隣接する請求項５又は６に記載する創傷部治療器具。
【請求項８】
前記接続コネクタの前記上面の一部分に上へ突出する凸部が設けられ、該凸部の周囲の上面が前記シール面を形成し、前記外部接続口が該凸部に設けられた請求項１〜７のいずれかに記載する創傷部治療器具。
【請求項９】
前記接続コネクタは、前記閉塞部内に配置された多孔質パッドの上面に配置される請求項２〜８のいずれかに記載する創傷部治療器具。
【請求項１０】
前記創傷部チューブの硬度が、前記外部接続口と連通する外部チューブの硬度よりも低い請求項１〜９のいずれかに記載する創傷部治療器具。
【請求項１１】
前記創傷部チューブは、マルチルーメンチューブ、異形断面チューブ又は分岐チューブである請求項１〜１０のいずれかに記載する創傷部治療器具。
【請求項１２】
前記外部接続具が、
前記接続コネクタの前記外部接続口に連結する連結接続口と、外部チューブに連結する外部チューブ接続口と、該連結接続口から少なくとも１つの該外部チューブ接続口まで貫通する連結通路と、を有する連結コネクタであり、
前記閉塞部が形成された後に、前記接続コネクタに連結することにより、前記外部チューブが該閉塞部内と連通可能となり、
前記外部接続口と前記連結接続口との連結部をシールするシール部材及び／又はシール構造を備えた、
請求項１〜１１のいずれかに記載する創傷部治療器具。
【請求項１３】
前記接続コネクタの前記外部接続口に前記外部接続具が連結される際に、前記接続コネクタが前記創傷部に接近することを規制する規制手段を備えた請求項１〜１２のいずれかに記載する創傷部治療器具。
【請求項１４】
前記連結コネクタを前記接続コネクタに固定する連結固定手段を備えた請求項１２又は１３に記載する創傷部治療器具。
【請求項１５】
前記シール部材及び／又はシール構造が、前記連結コネクタを前記接続コネクタに固定する前記連結固定手段により機能する請求項１４に記載する創傷部治療器具。
【請求項１６】
前記被覆シートの前記開口孔の周囲と前記連結固定手段との間に封止部材及び／又は封止構造を備え、
前記封止部材及び／又は封止構造が、前記連結コネクタを前記接続コネクタに固定する前記連結固定手段により機能する請求項１４又は請求項１５に記載する創傷部治療器具。
【請求項１７】
前記接続コネクタが前記接続通路を少なくとも２つ備え、
少なくとも１つの該接続通路から前記閉塞部内の流体を吸引するとともに他の少なくとも１つの該接続通路から該創傷部内へ流体を供給する作動、又は、全ての該接続通路から該閉塞部内の流体を吸引する作動を選択し得る選択手段を備えた請求項１〜１６のいずれかに記載する創傷部治療器具。
【請求項１８】
側面接続口を少なくとも１つ設けた側面、及び外部接続口を少なくとも１つ設けた上面を有し、該側面接続口から該外部接続口まで貫通する接続通路が少なくとも１つ設けられ、該上面はシール面を有する接続コネクタであり、
前記創傷部チューブが配置された状態で、前記被覆シートが該創傷部を覆って閉塞部が形成された時に、前記接続コネクタの前記シール面は前記被覆シートの前記開口孔の周囲を密封し、前記創傷部チューブは前記閉塞部内に配置され、前記接続コネクタの前記外部接続口は該閉塞部の外部と連通可能であり、
前記接続コネクタの前記側面が凹部を備え、該凹部に前記側面接続口が設けられた接続コネクタ。
【請求項１９】
前記外部接続口の少なくとも１つが前記閉塞部外の圧力計と連通し、
前記接続コネクタの下面及び／又は下面以外に、前記圧力計と連通した前記外部接続口と連通し、前記閉塞部内の圧力を測定するための圧力測定口を、少なくとも１つ備えた、
請求項１８に記載する接続コネクタ。
【請求項２０】
前記圧力測定口の近辺の空間を確保する凹部を備えた請求項１９に記載する接続コネクタ。
【発明の詳細な説明】
【技術分野】
【０００１】
本発明は、皮膚潰瘍や組織欠損等の創傷部を治療するための創傷部治療器具、及びその創傷部治療器具に用いる接続コネクタに関する。
【背景技術】
【０００２】
従来から、創傷部治療器具として、皮膚潰瘍や組織欠損等の創傷部を被覆シートで覆って閉塞部を形成し、閉塞部内を陰圧状態に保ちながら、創傷部から滲出する体液を創傷部チューブを通じて吸引ポンプ等により吸引し、閉塞部外へ排出する治療器具が知られている。かかる創傷部治療器具によれば、壊死細胞や細菌等を創傷部から吸引除去するとともに、陰圧によって創傷部の血流を促進し、治療効果を高めることができる。
【０００３】
この創傷部治療器具に関して、種々案出がなされ出願されている（例えば、特許文献１〜４参照。）。
【０００４】
特許文献１には、創傷部を囲んで皮膚面に粘着固定するフィルム（被覆シート）と皮膚面との間を気密に封止する封止材料を設置する創傷領域遮蔽装置について記載されている。特許文献２には、ドレープ（被覆シート）を開口し、開口部上に配置するコネクタを含む吸引ヘッドについて記載されている。特許文献３には、減圧源と、創傷部を覆うために組織部位に接着するドレープ（被覆シート）と、ドレープ及び組織部位の間に配置されるシールとを備えた創傷部治療器具のシステムについて記載されている。特許文献４には、滲出液や滲出液内の浮遊物が詰まりにくい圧力測定管を備えた陰圧創傷治療装置（創傷部治療器具）について記載されている。
【０００５】
しかし、従来の創傷部治療器具によれば、被覆シートと皮膚との間に封止材料を設置するのは、手間がかかり、治療の準備時間が延び、患者や医療従事者に負担をかけることとなった。また、創傷部チューブやコネクタ等の創傷部への設置が困難であり、この設置を容易にして取り扱いの簡単な創傷部治療器具が望まれている。
【先行技術文献】
【特許文献】
【０００６】
【特許文献１】特許第３２４０５７９号公報
【特許文献２】特許第４１６９２４３号公報
【特許文献３】特表２０１３−５０４３８５号公報
【特許文献４】特開２０１２−１０５８４１号公報
【発明の概要】
【発明が解決しようとする課題】
【０００７】
本発明の目的は、創傷部への設置に手間がかからず、取り扱いが容易で、治療の準備時間を短縮して患者や医療従事者に負担をかけない創傷部治療器具を提供することを目的とする。
【課題を解決するための手段】
【０００８】
本発明の創傷部治療器具は、側面接続口を少なくとも１つ設けた側面、及び外部接続口を少なくとも１つ設けた上面を有し、該側面接続口から該外部接続口まで貫通する接続通路が少なくとも１つ設けられ、該上面はシール面を有する接続コネクタと、
前記接続コネクタの前記側面接続口に連結される創傷部チューブと、
開口孔を有する被覆シートと、
前記接続コネクタの前記外部接続口に連結される外部接続具と、
を備え、
前記被覆シートが該創傷部を覆って閉塞部が形成され、
前記閉塞部が形成された時に、前記接続コネクタの前記シール面は前記被覆シートの前記開口孔の周囲を密封し、前記創傷部チューブは前記閉塞部内に配置され、前記接続コネクタの前記外部接続口は該閉塞部の外部と連通可能である
ことを特徴とする。
【０００９】
側面接続口には、側面に設けられた穴の口部のみでなく、側面から凸形状又は凹形状に設けられた創傷部チューブを接続するための継手形状も含む。また、外部接続口には、上面に設けられた穴の口部のみでなく、上面から凸形状又は凹形状に設けられた外部接続具を接続するための継手形状も含む。係る本発明の創傷部治療器具において、多孔質パッドは必須構成要件ではない。
【００１０】
外部接続具には、閉塞部の外部に配置する外部チューブ、及び／又は、外部チューブと接続コネクタとの間に配置される連結コネクタを含む。
【００１１】
また、前記創傷部治療器具において、前記創傷部チューブは、前記創傷部側の先端付近を、前記閉塞部内に配置された多孔質パッド内に埋め込んだ状態で配置されることを特徴とする。
【００１２】
また、前記創傷部治療器具において、前記創傷部チューブが湾曲又は折曲可能であることを特徴とする。
【００１３】
また、前記創傷部治療器具において、前記接続コネクタの前記側面が凹部を備え、該凹部に前記側面接続口が設けられたことを特徴とする。
【００１４】
また、前記創傷部治療器具において、前記外部接続口の少なくとも１つが前記閉塞部外の圧力計と連通し、前記圧力計と連通する前記外部接続口と連通し、前記閉塞部内の圧力を測定するための圧力測定口を、前記接続コネクタの下面及び／又は下面以外に、少なくとも１つ備えた
ことを特徴とする。
【００１５】
また、前記創傷部治療器具において、前記接続コネクタの前記側面が凹部を備え、該凹部に前記圧力測定口の少なくとも１つが設けられたことを特徴とする。
【００１６】
また、前記創傷部治療器具において、前記圧力測定口の少なくとも１つが、前記側面接続口の少なくとも１つに隣接することを特徴とする。
【００１７】
また、前記創傷部治療器具において、前記接続コネクタの前記上面の一部分に上へ突出する凸部が設けられ、該凸部の周囲の上面が前記シール面を形成し、前記外部接続口が該凸部に設けられたことを特徴とする。
【００１８】
また、前記創傷部治療器具において、前記接続コネクタは、前記閉塞部内に配置された多孔質パッドの上面に配置されることを特徴とする。
【００１９】
また、前記創傷部治療器具において、前記創傷部チューブの硬度が、前記外部接続口と連通する外部チューブの硬度よりも低いことを特徴とする。
【００２０】
硬度とは、ＪＩＳ  Ｋ  ６２５３に基づき軟質物硬さを表すゴム硬度である。
【００２１】
また、前記創傷部治療器具において、前記創傷部チューブは、マルチルーメンチューブ、異形断面チューブ又は分岐チューブであることを特徴とする。
【００２２】
マルチルーメンチューブとは、１本のチューブ内に平行する２つ以上の中空部を有する多孔チューブであり、中空部の形状は任意の形状でよい。異形断面チューブとは、チューブの外面と内面の形状が異なるチューブであり、例えば内面に凹凸形状などが設けられたチューブである。分岐チューブとは、入口側と出口側の口数が異なるチューブであり、成型、接着、コネクタ接続などの方法で分岐されたチューブである。
【００２３】
また、前記創傷部治療器具において、前記外部接続具が、
前記接続コネクタの前記外部接続口に連結する連結接続口と、外部チューブに連結する外部チューブ接続口と、該連結接続口から少なくとも１つの該外部チューブ接続口まで貫通する連結通路と、を有する連結コネクタであり、
前記閉塞部が形成された後に、前記接続コネクタに連結することにより、前記外部チューブが該閉塞部内と連通可能となり、
前記外部接続口と前記連結接続口との連結部をシールするシール部材及び／又はシール構造を備えた
ことを特徴とする。
【００２４】
連結接続口には、穴の口部のみでなく、口部周辺に凸形状又は凹形状に設けられた外部接続口と連結するための継手形状も含む。また、外部チューブ接続口には、穴の口部のみでなく、口部周辺に凸形状又は凹形状に設けられた外部チューブを接続するための継手形状も含む。
【００２５】
また、前記創傷部治療器具において、前記接続コネクタの前記外部接続口に前記外部接続具が連結される際に、前記接続コネクタが前記創傷部に接近することを規制する規制手段を備えたことを特徴とする。
【００２６】
また、前記創傷部治療器具において、前記連結コネクタを前記接続コネクタに固定する連結固定手段を備えたことを特徴とする。
【００２７】
また、前記創傷部治療器具において、前記シール部材及び／又はシール構造が、前記連結コネクタを前記接続コネクタに固定する前記連結固定手段により機能することを特徴とする。
【００２８】
また、前記創傷部治療器具において、前記被覆シートの前記開口孔の周囲と前記連結固定手段との間に封止部材及び／又は封止構造を備え、
前記封止部材及び／又は封止構造が、前記連結コネクタを前記接続コネクタに固定する前記連結固定手段により機能する
ことを特徴とする。
【００２９】
また、前記創傷部治療器具において、前記接続コネクタが前記接続通路を少なくとも２つ備え、
少なくとも１つの該接続通路から前記閉塞部内の流体を吸引するとともに他の少なくとも１つの該接続通路から該創傷部内へ流体を供給する作動、又は、全ての該接続通路から該閉塞部内の流体を吸引する作動を選択し得る選択手段を備えた
ことを特徴とする。
【００３０】
また、本発明の接続コネクタは、側面接続口を少なくとも１つ設けた側面、及び外部接続口を少なくとも１つ設けた上面を有し、該側面接続口から該外部接続口まで貫通する接続通路が少なくとも１つ設けられ、該上面はシール面を有する接続コネクタであり、
前記創傷部チューブが配置された状態で、前記被覆シートが該創傷部を覆って閉塞部が形成された時に、前記接続コネクタの前記シール面は前記被覆シートの前記開口孔の周囲を密封し、前記創傷部チューブは前記閉塞部内に配置され、前記接続コネクタの前記外部接続口は該閉塞部の外部と連通可能であり、
前記接続コネクタの前記側面が凹部を備え、該凹部に前記側面接続口が設けられた
ことを特徴とする。
【００３１】
また、本発明の接続コネクタは、前記接続コネクタにおいて、前記外部接続口の少なくとも１つが前記閉塞部外の圧力計と連通し、
前記接続コネクタの下面及び／又は下面以外に、前記圧力計と連通した前記外部接続口と連通し、前記閉塞部内の圧力を測定するための圧力測定口を、少なくとも１つ備えた
ことを特徴とする。
【００３２】
また、本発明の接続コネクタは、前記接続コネクタにおいて、前記圧力測定口の近辺の空間を確保する凹部を備えたことを特徴とする。
【発明の効果】
【００３３】
本発明に係る創傷部治療器具によれば、接続コネクタと、創傷部チューブと、開口孔を有する被覆シートと、外部接続具と、を備え、創傷部チューブを接続コネクタに接続し、接続コネクタを創傷部近辺に配置し、被覆シートにより創傷部、創傷部チューブ及び接続コネクタを覆って閉塞部を形成し、接続コネクタのシール面により被覆シートの開口孔の周囲を密封し、被覆シートの開口孔に配置されている接続コネクタの外部接続口に外部接続具を連結することにより、閉塞部の外部と連通可能とすることができる。このため、創傷部近辺への設置に手間がかからず、取り扱いが容易で、治療の準備時間を短縮して患者や医療従事者に負担をかけることもない。
【００３４】
創傷部チューブの先端付近を閉塞部内に配置された多孔質パッド内に埋め込んだ状態で配置されることを特徴とする本発明に係る創傷部治療器具によれば、創傷部が深い場合でも、創傷部チューブを多孔質パッド内に埋め込むことで、創傷部チューブの先端を創傷部に近接させて創傷部の治療を行うことができる。創傷部チューブの先端を創傷部に近接させることにより、創傷部の深さに合わせたより効率的な治療が可能となる。
【００３５】
創傷部チューブが湾曲又は折曲可能であることを特徴とする本発明に係る創傷部治療器具によれば、創傷部チューブを湾曲又は折曲することにより、創傷部上の閉塞部内にコンパクトな状態で設置できる。
【００３６】
接続コネクタの側面が凹部を備え、凹部に側面接続口が設けられたことを特徴とする本発明に係る創傷部治療器具及び本発明に係る接続コネクタによれば、接続コネクタの側面の凹部に設けた側面接続口に創傷部チューブを連結するため、全体としてコンパクトな寸法とすることができる。
【００３７】
閉塞部内の圧力を測定するための圧力測定口を、前記接続コネクタの下面及び／又は下面以外に、少なくとも１つ備えたことを特徴とする本発明に係る創傷部治療器具及び本発明に係る接続コネクタによれば、接続コネクタの外輪郭の中で、多孔質パッドに接する下面以外に、閉塞部内の圧力を測定するための圧力測定口を備えているため、浮遊物又は多孔質パッドの一部が圧力測定口に詰まるのを防止して圧力測定を確実且つ正確に行うことができる。
【００３８】
接続コネクタの側面が凹部を備え、凹部に圧力測定口の少なくとも１つが設けられたことを特徴とする本発明に係る創傷部治療器具及び本発明に係る接続コネクタによれば、圧力測定口の近辺の空間を凹部によって確保できるため、浮遊物又は多孔質パッドの一部が圧力測定口に詰まるのを防止して、閉塞部内の圧力測定を、より確実且つ正確に行うことができる。
【００３９】
圧力測定口の少なくとも１つが、側面接続口の少なくとも１つに隣接することを特徴とする本発明に係る創傷部治療器具によれば、側面接続口に連結する創傷部チューブによって圧力測定口の近辺に空間が確保され、浮遊物又は多孔質パッドの一部が圧力測定口に詰まるのを防止して、圧力測定を、更に確実且つ正確に行うことができる。
【００４０】
接続コネクタの上面の一部分に上へ突出する凸部が設けられ、凸部の周囲の上面がシール面を形成し、外部接続口が凸部に設けられたことを特徴とする本発明に係る創傷部治療器具によれば、被覆シートで創傷部及び接続コネクタを覆う際に被覆シートの位置決めがしやすく、又外部接続口に連結する外部接続具が障害にならず、シール面によるシールを確実に行うことができる。
【００４１】
接続コネクタは、閉塞部内に配置された多孔質パッドの上面に配置されることを特徴とする本発明に係る創傷部治療器具によれば、接続コネクタを閉塞部内に配置された多孔質パッドの上面に配置することで全体としてコンパクトにできる。
【００４２】
創傷部チューブの硬度が、外部接続口と連通する外部チューブの硬度よりも低いことを特徴とする本発明に係る創傷部治療器具によれば、創傷部チューブの硬度を低くして創傷部への刺激を緩和できる。一方で、外部接続口と連通する外部チューブの硬度を高くして、チューブのねじれや折れによる詰まりを防止できる。
【００４３】
創傷部チューブがマルチルーメンチューブ、異形断面チューブであることを特徴とする本発明に係る創傷部治療器具によれば、閉塞部内が陰圧に維持されることで、創傷部チューブが変形しても創傷部チューブの一部に通路を確保することができる。また、創傷部チューブが分岐チューブであることを特徴とする本発明に係る創傷部治療器具によれば、創傷部の大きさに応じて適宜創傷部チューブを配置することができ、効率的な治療が可能となる。
【００４４】
外部接続具が、外部チューブに連結する外部チューブ接続口を有する連結コネクタであり、閉塞部が形成された後に、接続コネクタに連結することにより、外部チューブが閉塞部内と連通可能となることを特徴とする本発明に係る創傷部治療器具によれば、外部チューブが連結されている連結コネクタを接続コネクタに連結するため、外部チューブを接続コネクタに連結するよりも、外部チューブの連結が容易となる。
【００４５】
接続コネクタの外部接続口に外部接続具が連結される際に、接続コネクタが創傷部に接近することを規制する規制手段を備えたことを特徴とする本発明に係る創傷部治療器具によれば、接続コネクタに外部接続具（連結コネクタ）を連結する時に外部接続具（連結コネクタ）から接続コネクタに押圧力が負荷されても、接続コネクタが創傷部へ接近するのを規制できる。このため、接続コネクタが多孔質パッドを介して創傷部へ刺激を与えるのを防止できる。
【００４６】
連結コネクタを前記接続コネクタに固定する連結固定手段を備えたことを特徴とする本発明に係る創傷部治療器具によれば、創傷部の治療中に連結コネクタが接続コネクタから外れて滲出液等の吸引及び洗浄液の供給ができなくなるのを防止できる。
【００４７】
シール部材及び／又はシール構造が、連結コネクタを接続コネクタに固定する連結固定手段により機能することを特徴とする本発明に係る創傷部治療器具によれば、連結コネクタを接続コネクタに固定する連結固定手段により連結部がシールされる。このため、接続コネクタと連結コネクタの連結が容易になり、連結操作による傷部へ刺激を与えるのを防止できる。
【００４８】
被覆シートの開口孔の周囲と連結固定手段との間に封止部材及び／又は封止構造を備え、封止部材及び／又は封止構造が、連結コネクタを接続コネクタに固定する連結固定手段により機能することを特徴とする本発明に係る創傷部治療器具によれば、接続コネクタと被覆シート間の密閉性を更に高めることができ、安定した閉鎖部を形成できる。
【００４９】
接続コネクタが接続通路を少なくとも２つ備え、少なくとも１つの接続通路から閉塞部内の流体を吸引するとともに他の少なくとも１つの接続通路から創傷部内へ流体を供給する作動、又は、全ての接続通路から閉塞部内の流体を吸引する作動を選択し得る選択手段を備えたことを特徴とする本発明に係る創傷部治療器具によれば、１つの接続通路を流体供給通路とするとともに、他の接続通路を吸引通路として、滲出液等の吸引及び供給のできる器具として使用できるとともに、全ての接続通路を吸引通路として、滲出液等の吸引専用の器具としても使用できる。
【図面の簡単な説明】
【００５０】
【図１】本発明の創傷部治療器具の構成を示す正面断面図である。
【図２】図１の創傷部治療器具を創傷部に配置する状態を示す正面断面図である。
【図３】図１の創傷部治療器具を創傷部に配置した状態を示す正面断面図である。
【図４】図１の創傷部治療器具の使用状態を示す拡大図であり、同図（ａ）は正面図であり、同図（ｂ）は側面図である。
【図５】図１の創傷部治療器具に使用する接続コネクタ及び連結コネクタを示す図であり、同図（ａ）は斜視図であり、同図（ｂ）は底面図である。
【図６】同図（ａ）は図１の創傷部治療器具に使用する連結コネクタを示す斜視図であり、同図（ｂ）は図１の創傷部治療器具に使用する接続コネクタを示す斜視図である。
【図７】同図（ａ）は本発明の接続コネクタの他の実施形態を示す斜視図であり、同図（ｂ）は本発明の接続コネクタの更に他の実施形態を示す斜視図である。
【図８】図１の創傷部治療器具に用いるチューブの他の実施形態を示す断面図であり、同図（ａ）は異形断面チューブを示し、同図（ｂ）はマルチルーメンチューブを示し、同図（ｃ）は多連チューブを示す。
【図９】同図（ａ）及び（ｂ）は本発明の創傷部治療器具の更に他の実施形態を示す拡大正面図である。
【図１０】本発明の創傷部治療器具の更に他の実施形態を示す構成図である。
【図１１】本発明の創傷部治療器具の更に他の実施形態の使用状態を示す拡大正面図であり、同図（ａ）は連結コネクタを接続コネクタへ連結する前の状態を示し、同図（ｂ）は連結コネクタを接続コネクタへ連結した後の状態を示す。
【図１２】本発明の創傷部治療器具の更に他の実施形態の使用状態を示す拡大正面図であり、同図（ａ）は連結コネクタを接続コネクタへ連結する前の状態を示し、同図（ｂ）は連結コネクタを接続コネクタへ連結した後の状態を示す。
【図１３】同図（ａ）は本発明の創傷部治療器具の更に他の実施形態の拡大正面図であり、同図（ｂ）は本発明の創傷部治療器具の更に他の実施形態の拡大正面図である。
【発明を実施するための形態】
【００５１】
本発明の創傷部治療器具について図面を使用して説明する。図１〜３において、符号１０は本発明の創傷部治療器具を示す。創傷部治療器具１０は、接続コネクタ２４と、吸引創傷部チューブ２６（ａ）と、供給創傷部チューブ２６（ｂ）と、被覆シート３０と、連結コネクタ５６と、吸引外部チューブ４８（ａ）と、供給外部チューブ４８（ｂ）と圧力外部チューブ４９とから構成されている。
【００５２】
接続コネクタ２４は、図４、図５及び図６（ｂ）に示すように、側面１４及び上面１８を有している。なお、図４は、接続コネクタ２４の使用状態を示す。
【００５３】
側面１４には、２つの凹部３８（ａ）及び３８（ｂ）が設けられている。凹部３８（ａ）には、１つの吸引側面接続口（側面接続口）１２（ａ）、及び、１つの圧力測定口４２（ａ）が、隣接して設けられている。凹部３８（ｂ）には、１つの供給側面接続口（側面接続口）１２（ｂ）、及び、１つの圧力測定口４２（ｂ）が、隣接して設けられている。
【００５４】
凹部３８（ａ）及び３８（ｂ）を設けないで側面１４に直接側面接続口１２（ａ）及び１２（ｂ）を設けてもよいが、凹部３８（ａ）及び３８（ｂ）を設けることでスペースを削減できコンパクトにできる。また、圧力測定口４２（ａ）及び４２（ｂ）は、側面１４に直接設けても、上面１８又は側面１４に設けた別の凹部に設けてもよいが、創傷部チューブ２６が接続される側面接続口１２に隣接して設けることで、閉塞部３４内が陰圧状態に保たれた場合に圧力測定口４２周辺の空間が確保できる。
【００５５】
接続コネクタ２４の上面１８には、凸部４６が設けられている。凸部４６には、１つの吸引外部接続口（外部接続口）１６（ａ）、１つの供給外部接続口（外部接続口）１６（ｂ）、及び１つの圧力外部接続口(外部接続口)４３が設けられている。
【００５６】
接続コネクタ２４の上面１８において、凸部４６の周囲にはシール面２２が設けられている。シール面２２は、中央へいくに従って僅かに高くなる傾斜面から構成されている。側面１４に設ける凹部３８は側面１４の高さ方向全体に設ける必要はなく、側面１４の下面側部分のみに凹部３８を設けることで、シール面２２の面積を大きくし、被覆シート３０を密着固定しやすくしてもよい。また、接続コネクタ２４のシール面２２に両面テープなどの接着層又は粘着層を別途設けておくことで、被覆シート３０との密着力を向上させるようにしてもよい。
【００５７】
また、接続コネクタ２４は、図４及び図５（ｂ）に示すように、吸引側面接続口１２（ａ）から吸引外部接続口１６（ａ）まで貫通する吸引接続通路（接続通路）２０（ａ）、供給側面接続口１２（ｂ）から供給外部接続口１６（ｂ）まで貫通する供給接続通路（接続通路）２０（ｂ）、並びに、圧力測定口４２（ａ）から４２（ｂ）まで貫通する支流通路６２、圧力外部接続口４３から下面４０まで貫通する圧力接続通路（接続通路）４５が設けられている。外部接続口１６と側面接続口１２は１対１の関係である必要はなく、１つの外部接続口１６を複数の側面接続口１２に分岐連通するように接続通路を設けてもよい。
【００５８】
接続コネクタ２４の下面４０の中央には、図４及び図５（ｂ）に示すように、凹部５８が設けられている。凹部５８内には、溝６０が設けられ、圧力接続通路４５と支流通路６２を連通している。これにより、圧力外部接続口４３が圧力接続通路４５及び支流通路６２を介して、圧力測定口４２（ａ）及び圧力測定口４２（ｂ）と連通しているとともに、溝６０が下面４０側の圧力測定口としても機能する。下面４０の中央に凹部５８が設けられているため、下面４０は段差を有し、図３に示すように多孔質パッド３６の上面に載置した時に、多孔質パッド３６の一部がこの凹部５８に入り込むため、接続コネクタ２４を安定した状態で多孔質パッド３６の上面に設置できるようになっているが、凹部５８を設けないで下面４０に溝６０を直接設けてもよい。多孔質パッド３６は創傷惨出液や供給液体の移送を可能とする材料であって、例えばスポンジ等の発泡材料を用いることができる。
【００５９】
被覆シート３０は、創傷部３２を覆い、閉塞部３４を形成できる材料であればよく、創傷治療で一般的に知られている裏面に粘着層を有する透明又は半透明の可撓性のフィルムを用いることができる。被覆シート３０は接続コネクタに当接させる開口孔２８を有しており、開口孔２８の形状は接続コネクタ２４の上面１８の凸部４６と略同形状となっている。当接とは、他の部材を介して間接的に当接することも含む。被覆シート３０の開口孔２８を接続コネクタ２４の凸部４６に合わせて被せることで、開口孔２８の周囲が接続コネクタ２４のシール面２２に密着固定され、密封できるように構成されている。
【００６０】
吸引創傷部チューブ２６（ａ）及び供給創傷部チューブ２６（ｂ）は、ポリ塩化ビニル、シリコン、ナイロン、ウレタン、フッ素樹脂、熱可塑性エラストマー樹脂等から構成され、図３に示すように先端付近を多孔質パッド３６内に埋め込んだ状態に維持でき、湾曲又は折曲可能な材質から構成されている。また、創傷部３２が大きな場合には、分岐チューブから構成された創傷部チューブ２６を側面接続口１２に接続してもよい。分岐チューブを用いることで、創傷部３２全体に創傷部チューブ２６を配置することができ、創傷部の大きさに応じた最適な治療が可能となる。
【００６１】
実施例に記載している側面接続口１２は、一部に拡径部を備え、挿入する創傷部チューブ２６との間に隙間が生じないように構成され、流体が漏れないように構成されている。側面接続口１２の形状は実施例の形状に限られず、創傷部チューブ２６を直接挿入可能なタケノコ形状、或いは創傷部チューブ２６側にも継手を備えた差込み形状又はネジ形状などの既知の接続方法であってもよい。
【００６２】
連結コネクタ５６は、図４、図５及び図６（ａ）に示すように、接続コネクタ２４に設けた吸引外部接続口１６（ａ）に連結する吸引連結接続口（連結接続口）５０（ａ）と、接続コネクタ２４に設けた供給外部接続口１６（ｂ）に連結する供給連結接続口（連結接続口）５０（ｂ）と、接続コネクタ２４に設けた圧力外部接続口４３に連結する圧力連結接続口（連結接続口）６６と、を備えている。
【００６３】
図６（ａ）に示すように、吸引連結接続口５０（ａ）及び供給連結接続口５０（ｂ）の外周には弾性体から成るリング状のシール部材７０が設けられている。また、圧力連結接続口６６の外周にも同様に弾性体から成るリング状のシール部材７４が設けられている。
【００６４】
吸引連結接続口５０（ａ）を吸引外部接続口１６（ａ）に挿入することにより、吸引連結接続口５０（ａ）を吸引外部接続口１６（ａ）に連結でき、供給連結接続口５０（ｂ）を供給外部接続口１６（ｂ）に挿入することにより、供給連結接続口５０（ｂ）を供給外部接続口１６（ｂ）に連結でき、圧力連結接続口６６を圧力外部接続口４３に挿入することにより、圧力連結接続口６６を圧力外部接続口４３に連結できる。これにより、連結接続口５０、６６の周囲に設けられたシール部材７０、７４により、それぞれの連結部で漏れがないようにシールされ、連結コネクタ５６を接続コネクタ２４へ連結固定できる。本実施例では、連結コネクタ５６の連結接続口５０、６６を接続コネクタ２４の外部接続口１６、４３に挿入することで連結固定しているが、接続コネクタ２４と連結コネクタ５６を固定するための例えばフック形状などの係合手段（連結固定手段）を別途設けて、創傷部の治療中に連結コネクタ５６が外れることを防止するようにしてもよい。
【００６５】
また、連結コネクタ５６は、吸引外部チューブ４８（ａ）に連結する吸引外部チューブ接続口（外部チューブ接続口）５２（ａ）と、供給外部チューブ４８（ｂ）に連結する供給外部チューブ接続口（外部チューブ接続口）５２（ｂ）と、圧力外部チューブ（外部チューブ）４９に連結する圧力外部チューブ接続口（外部チューブ接続口）７８と、を備えている。
【００６６】
また、連結コネクタ５６は、吸引連結接続口５０（ａ）から吸引外部チューブ接続口５２（ａ）まで貫通する吸引連結通路（連結通路）５４（ａ）と、供給連結接続口５０（ｂ）から供給外部チューブ接続口５２（ｂ）まで貫通する供給連結通路（連結通路）５４（ｂ）と、圧力連結接続口６６から圧力外部チューブ接続口７８まで貫通する圧力連結通路（連結通路）８２と、を備えている。
【００６７】
実施例では連結コネクタ５６はＬ字形状からなり、接続コネクタ２４の上部に挿入するように構成されているが、連結コネクタ５６を直線状とし、接続コネクタ２４の凸部４６の側面に挿入するような構成としてもよく、コネクタ形状、挿入方向等は特に限定されない。また、接続コネクタ２４および連結コネクタ５６の通路を３つ設けた形態で説明しているが、通路を１つのみ設けて吸引のみとしてもよく、また４つ以上の通路を設けていくつかの通路が同じ機能をするようにしてもよい。
【００６８】
吸引外部チューブ４８（ａ）、供給外部チューブ４８（ｂ）、及び圧力外部チューブ４９は、ポリ塩化ビニル、シリコン、ナイロン、ウレタン、フッ素樹脂、熱可塑性エラストマー樹脂等の材質から構成されている。また、吸引外部チューブ４８（ａ）及び供給外部チューブ４８（ｂ）は、吸引外部チューブ接続口５２（ａ）及び供給外部チューブ接続口５２（ｂ）に挿入することにより、外部チューブ接続口５２と連結され、圧力外部チューブ４９は、圧力外部チューブ接続口７８に挿入することにより、圧力外部チューブ接続口７８と連結される。外部チューブ接続口５２、７８の形状及び外部チューブ４８、４９との接続方法は、側面接続口１２と創傷部チューブ２６の接続方法と同様に実施例の形状に限られない。また、外部チューブ接続口５２及び７８と外部チューブ４８及び４９は接着等の方法で固定するようにしてもよい。
【００６９】
外部チューブ４８、４９は、複数本になる場合には、図８（ｂ）に示すマルチルーメンチューブや図８（ｃ）に示す多連チューブなどで構成し、創傷部３２から図示しない治療装置への取り回しを容易にできるようにしてもよい。
【００７０】
ここで、吸引創傷部チューブ２６（ａ）及び供給創傷部チューブ２６（ｂ）の硬度が、吸引外部チューブ４８（ａ）、供給外部チューブ４８（ｂ）及び圧力外部チューブ４９の硬度よりも低く構成されていることが好ましい。例えば、ＪＩＳ  Ｋ  ６２５３に基づくゴム硬度において、吸引創傷部チューブ２６（ａ）等の硬度が、吸引外部チューブ４８（ａ）等の硬度よりも低く構成されている。これにより、創傷部チューブ２６（ａ）等の硬度を低くして創傷部３２へ刺激を与えるのを防止できる一方で、吸引外部チューブ４８（ａ）等の硬度を高くして、取り扱い等に起因する折れ、潰れによる通路の遮断を防止し、破損も防止できる。
【００７１】
創傷部チューブ２６の硬度を低くした場合には、閉塞部３４内が陰圧に維持された際に、創傷部チューブ２６が押し潰されて変形し通路が確保できなくなることがある。このため、創傷部チューブ２６は、図８（ａ）に示す異形断面チューブ又は図８（ｂ）に示すマルチルーメンチューブを用いることが好ましい。図８（ａ）に示す異形断面チューブは、内面に凸部８８及び凹部９０が設けられ、押し潰されて変形しても、凹部９０に必ず空間が生じるため通路を確保できる。図８（ｂ）に示すようなマルチルーメンチューブの場合は、チューブの肉厚を厚くできるため潰れ難くすることができる。また、マルチルーメンチューブでもチューブ内部の仕切り形状を工夫することで、押し潰されて変形しても一部に空間が生じるような断面形状にして通路を確保できるようにしてもよい。
【００７２】
このような構成の創傷部治療器具１０を用いて創傷部３２を治療する作用について、以下に説明する。
【００７３】
創傷部３２内に、図２に示すように、創傷部３２の全体又は一部を覆うことのできる形状の多孔質パッド３６が配置される。多孔質パッド３６が配置されると、吸引創傷部チューブ２６（ａ）の先端２７（ａ）及び供給創傷部チューブ２６（ｂ）の先端２７（ｂ）が、上から、多孔質パッド３６に突刺させられ、先端２７（ａ）及び２７（ｂ）が創傷部３２面の近辺まで挿入される。創傷部チューブ２６を多孔質パッドに突刺する作業を創傷部３２以外の場所で行い、創傷部チューブ２６が突刺された多孔質パッド３６を創傷部３２上に配置すると、創傷部３２への刺激もなく、より好ましい。
【００７４】
次に、接続コネクタ２４が多孔質パッド３６の中央部の上に配置される。接続コネクタ２４は創傷部３２付近の皮膚８４の上に配置してもよいが、多孔質パッド３６上に配置したほうがコンパクトになる。その後、吸引創傷部チューブ２６（ａ）及び供給創傷部チューブ２６（ｂ）は、折曲されて、吸引創傷部チューブ２６（ａ）の他端が接続コネクタ２４の吸引側面接続口１２（ａ）に連結され、供給創傷部チューブ２６（ｂ）の他端が接続コネクタ２４の供給側面接続口１２（ｂ）に連結され、先端２７（ａ）及び２７（ｂ）が多孔質パッド３６内に埋め込まれた状態で維持される。
【００７５】
予め接続コネクタ２４に創傷部チューブ２６を接続した状態で、多孔質パッド３６上に配置し、先端２７を多孔質パッド３６に突刺するようにしてもよいが、吸引創傷部チューブ２６（ａ）及び供給創傷部チューブ２６（ｂ）の吸引側面接続口１２（ａ）及び供給側面接続口１２（ｂ）への連結は、多孔質パッド３６内に創傷部チューブ２６（ａ）及び２６（ｂ）の先端２７（ａ）及び２７（ｂ）を埋め込んだ後に行うことで、創傷部チューブ２６（ａ）及び２６（ｂ）の長さを適宜調整（切断）してから接続できる。このため、側面接続口１２の形状は創傷部チューブ２６を挿入することで連結できる形状が好ましい。
【００７６】
次に、被覆シート３０が、皮膚８４、創傷部３２、多孔質パッド３６、接続コネクタ２４、吸引創傷部チューブ２６（ａ）及び供給創傷部チューブ２６（ｂ）の上から被覆され、被覆シート３０の裏面の粘着層が皮膚８４及びのシール面２２に粘着固定される。この際、被覆シート３０の開口孔２８と接続コネクタ２４の凸部４６の形状が略同形状であるため位置決めも容易であり、接続コネクタ２４の凸部４６からは周囲に突出物がないため、容易に被覆シート３０で被覆することができる。これにより、被覆シート３０で創傷部３２を覆った閉塞部３４が形成されると共に、接続コネクタ２４の凸部４６に設けられている外部接続口１６、４３は閉塞部３４の外部に配置される。なお、被覆シート３０は、予め種々の寸法及び形状のものを準備しておいても、創傷部３２の寸法及び形状に応じて切断してもよい。
【００７７】
連結コネクタ５６には、吸引外部チューブ４８（ａ）の一端が、連結コネクタ５６の吸引外部チューブ接続口５２（ａ）に予め連結され、供給外部チューブ４８（ｂ）の一端が、連結コネクタ５６の供給外部チューブ接続口５２（ｂ）に予め連結され、圧力外部チューブ４９の一端が、連結コネクタ５６の圧力外部チューブ接続口７８に予め連結されている。吸引外部チューブ４８（ａ）の他端には図示しない吸引装置が連結され、供給外部チューブ４８（ｂ）の他端には図示しない洗浄液供給装置が連結され、圧力外部チューブ４９の他端には図示しない圧力計が連結される。
【００７８】
閉塞部３４が形成された後に、連結コネクタ５６が上から接続コネクタ２４に連結される。すなわち、連結コネクタ５６の連結接続口５０（ａ）、５０（ｂ）及び６６が、接続コネクタ２４の外部接続口１６（ａ）、１６（ｂ）及び４３にそれぞれ挿入され、連結コネクタ５６の連結接続口５０、６６の外周に設けられたシール部材７０、７４と接続コネクタ２４の外部接続口１６、４３との間で連結部がシールされると共に固定される。
【００７９】
このようにして、創傷部治療器具１０が創傷部３２の上に配置された状態で、吸引装置及び洗浄液供給装置が作動させられる。吸引装置が作動させられることにより、閉塞部３４内が、閉塞部３４内の吸引創傷部チューブ２６（ａ）から、図４に示す吸引側面接続口１２（ａ）、吸引接続通路２０（ａ），吸引連結通路５４（ａ），吸引外部チューブ接続口５２（ａ）及び吸引外部チューブ４８（ａ）を介して、吸引装置により吸引され、閉塞部３４内が減圧される。また、閉塞部３４内が減圧された状態で、創傷部３２から生じた老廃物及び滲出液が、吸引外部チューブ４８（ａ）へ吸引される。
【００８０】
また、洗浄液供給装置が作動させられることにより、洗浄液が、図４に示す供給外部チューブ４８（ｂ）から、供給外部チューブ接続口５２（ｂ）、供給連結通路５４（ｂ）、供給接続通路２０（ｂ）、供給側面接続口１２（ｂ）、供給創傷部チューブ２６（ｂ）を介して、閉塞部３４内へ送られる。これにより、吸引創傷部チューブ２６（ａ）は、供給創傷部チューブ２６（ｂ）から送られた洗浄液を吸引し、閉塞部３４内では、洗浄液が、供給創傷部チューブ２６（ｂ）の先端２７（ｂ）から吸引創傷部チューブ２６（ａ）の先端２７（ａ）へ移動し、閉塞部３４内の多孔質パッド３６内で洗浄液が流動し、洗浄液が創傷部３２を洗浄する。
【００８１】
一方、図３及び図４に示すように、圧力測定口４２（ａ）及び４２（ｂ）、支流通路６２、溝６０、圧力接続通路４５、圧力連結通路８２及び圧力外部チューブ接続口７８を介して、圧力外部チューブ４９に連通しているため、圧力外部チューブ４９に連結された圧力計により、閉塞部３４内の圧力を測定できる。
【００８２】
ここで、圧力測定口４２（ａ）及び４２（ｂ）の周辺は、凹部３８及び凹部３８の側面接続口１２に接続された創傷部チューブ２６により空間が確保されているため、圧力測定口４２（ａ）及び４２（ｂ）に浮遊物や多孔質パッド３６の一部が詰まることがなく、確実且つ正確に閉塞部３４内の圧力を測定できる。
【００８３】
また、圧力外部チューブ４９は、閉塞部３４に配置された接続コネクタ２４の下面の溝６０及び側面の２つの圧力測定口４２と連通しているため、いずれか１ヶ所の圧力測定口４２が浮遊物や多孔質パッド３６の一部により閉塞されても、その他から閉塞部３４内の圧力を測定することができる。
【００８４】
閉塞部３４内は、圧力計により計測された圧力を基に吸引量が調整され、一定の陰圧に維持される。閉塞部３４内が陰圧に維持されることにより、創傷部３２からの肉芽形成が促進される。また、閉塞部３４内には洗浄液が供給され、創傷部３２から生じた老廃物及び滲出液とともに吸引され、創傷部３２において洗浄液が流動させられる。その結果、創傷部３２の周囲の血流が増加して、血行が促進される。これにより創傷部治癒機能が回復し、創傷部３２の治癒を促進することができる。
【００８５】
図７には別の実施形態の創傷部治療器具１０を示している。図７（ａ）に示す接続コネクタ２４のように、凸部４６の両側面に係合溝(規制手段)８６を備えてもよい。この場合、係合溝８６に図示しないコの字型の板状係合部材を係合することで、接続コネクタ２４を保持した状態で、連結コネクタ５６を上から接続コネクタ２４に連結できる。このため、連結コネクタ５６を上から接続コネクタ２４に連結する時に、連結コネクタ５６からの押圧力によって、接続コネクタ２４の創傷部３２への接近を規制でき、接続コネクタ２４が多孔質パッド３６を介して創傷部３２へ刺激を与えるのを防止できる。また、接続コネクタ２４を手で掴まなくとも連結コネクタ５６を接続コネクタ２４に連結でき、手の爪等によって被覆シート３０が破損するのを防止できる。係合溝８６の形状は、凸部４６を貫通する穴であってもよく、その場合は棒状の係合部材を用いればよい。また穴は貫通してなくても良く、棒状の係合部材を挿入し、接近を規制する時に外れない深さであれば良い。
【００８６】
また、図７（ｂ）に示す接続コネクタ２４のように、側面１４の凹部３８が１つのみ設けられ、凹部３８に、圧力測定口４２、吸引側面接続口１２（ａ）及び供給側面接続口１２（ｂ）が設けられてもよい。この場合、接続コネクタ２４をコンパクトに構成することにより、創傷部３２の面積が小さく多孔質パッド３６上に接続コネクタ２４を配置できない場合に、接続コネクタ２４を創傷部３２付近の皮膚８４上に配置して使用することが可能となる。
【００８７】
また、接続コネクタ２４の上面１８に設ける外部接続口１６（ａ）及び１６（ｂ）の配置は、圧力外部接続口４３、吸引外部接続口１６（ａ）及び供給外部接続口１６（ｂ）の各中心点が、三角形の角部上に配置された構成であってもよい。この場合、圧力外部接続口４３、吸引外部接続口１６（ａ）及び供給外部接続口１６（ｂ）の各中心点が、三角形の角部上に配置されるため、圧力外部接続口４３、吸引外部接続口１６（ａ）及び供給外部接続口１６（ｂ）の各中心点が一直線上に配置されるのとは異なり、接続コネクタ２４と連結コネクタ５６のガタが少なくなり、圧力外部接続口４３、吸引外部接続口１６（ａ）及び供給外部接続口１６（ｂ）に連結コネクタ５６を連結した際のシール性を高めることができる。
【００８８】
また、図７（ａ）に示す接続コネクタ２４のように、接続コネクタ２４と連結コネクタ５６の合せ面の形状を互いに凹凸形状にすることにより、圧力外部接続口４３、吸引外部接続口１６（ａ）及び供給外部接続口１６（ｂ）が一直線上に配置された場合でもガタが少なくなるようにしてもよい。
【００８９】
また、図９には更に別の実施形態の創傷部治療器具１０を示している。本発明の創傷部治療器具１０において、図９（ａ）に示すように、接続コネクタ２４の上面１８に凸部４６を備えなくともよい。この場合、被覆シート３０の開口孔２８は目視により接続コネクタ２４の上面１８の一部である平面部９４へ位置決めされる。
【００９０】
また、図９（ｂ）に示すように、接続コネクタ２４と別体の連結コネクタ５６を備えず、接続コネクタ２４の上面１８付近に直接チューブ接続が可能な吸引外部チューブ接続口５２（ａ）、供給外部チューブ接続口５２（ｂ）及び圧力外部チューブ接続口７８が設けられ、吸引外部チューブ４８（ａ）、供給外部チューブ４８（ｂ）及び圧力外部チューブ４９を直接に接続コネクタ２４へ接続する構成であってもよい。また、凸部４６を設けないで上面１８に吸引外部チューブ接続口５２（ａ）、供給外部チューブ接続口５２（ｂ）及び圧力外部チューブ接続口７８を設けて、吸引外部チューブ４８（ａ）、供給外部チューブ４８（ｂ）及び圧力外部チューブ４９を接続できるようにしてもよい。このような構成の接続コネクタ２４においては、被覆シート３０を設置しやすくするためには、開口孔２８の直径Ｄ１に対し、外部接続口の配置スペースを小さくすることが好ましく、実施例の場合では、吸引外部チューブ接続口５２（ａ）と供給外部チューブ接続口５２（ｂ）の最も外側の距離Ｄ２が開口孔２８の直径Ｄ１よりも小さくなるように外部接続口を配置することが好ましい。また開口孔２８の形状は特に限定されず、外部接続口の配置に合わせて、開口孔２８をカッティングしても良く、被覆シート３０で被覆する時に、外部接続口が邪魔にならない開口形状であれば良い。
【００９１】
また、図１０には更に別の実施形態の創傷部治療器具１０を示している。本発明の創傷部治療器具１０において、図１０に示すように、外部チューブ４８（ｂ）を吸引装置９６と連通させるか、又は、洗浄液供給装置９８と連通させるかを選択できる選択手段１００を備えてもよい。選択手段１００は、例えば、ピンチバルブやソレノイドバルブから構成される。この場合、１つの接続通路２０（ａ）から閉塞部３４内の流体を吸引するとともに他の１つの接続通路２０（ｂ）から閉塞部３４内へ洗浄液を供給する作動、又は、両方の接続通路２０（ａ）及び２０（ｂ）から閉塞部３４内の流体を吸引する作動を選択し得る。前記作動の切換については、選択手段１００を用いないでチューブの接続経路の変更により行ってもよい。
【００９２】
また、図１１には更に別の実施形態の創傷部治療器具１０を示している。本発明の創傷部治療器具は、図１１に示す連結固定手段１２８を備えた創傷部治療器具１０であってもよい。連結固定手段１２８は、係合凸部１２０を有し連結コネクタ５６に対して回動可能なように連結コネクタ５６に設けられた係合部材１２２と、係合凸部１２０が係合されるように接続コネクタ２４の凸部４６に設けられた係合凹部１２４と、から構成されている。また、連結コネクタ５６の下面には、外部接続口１６（ａ）、１６（ｂ）及び４３と連結接続口５０（ａ）、５０（ｂ）及び６６との連結部をシールする弾性圧縮可能なシール部材１２６が設けられている。
【００９３】
図１１（ｂ）に示すように、係合部材１２２を回動させて係合凸部１２０を係合凹部１２４に係合して連結コネクタ５６を接続コネクタ２４に連結固定することにより、シール部材１２６が圧縮され、外部接続口１６（ａ）、１６（ｂ）及び４３と連結接続口５０（ａ）、５０（ｂ）及び６６との連結部をシールする。すなわち、シール部材１２６は、連結コネクタ５６を接続コネクタ２４に固定する連結固定手段１２８により機能する。
【００９４】
また、図１２には更に別の実施形態の創傷部治療器具１０を示している。本発明の創傷部治療器具は、図１２に示す連結固定手段１３０を備えた創傷部治療器具１０であってもよい。連結固定手段１３０は、接続コネクタ２４の凸部４６の側面に設けられた雄螺子部１３２と、連結コネクタ５６に対して回動可能に連結コネクタ５６に取り付けられた雌螺子部材１３４とから構成されている。連結コネクタ５６の下面には、外部接続口１６（ａ）、１６（ｂ）及び４３と連結接続口５０（ａ）、５０（ｂ）及び６６との連結部をシールする弾性圧縮可能なシール部材１２６が設けられている。また、被覆シート３０の開口孔２８の周辺上部には弾性圧縮可能な封止部材１３６が設けられている。
【００９５】
図１２（ｂ）に示すように、雌螺子部材１３４を回動させて雌螺子部材１３４を雄螺子部１３２に螺合して連結コネクタ５６を接続コネクタ２４に連結固定することにより、シール部材１２６が圧縮され、外部接続口１６（ａ）、１６（ｂ）及び４３と連結接続口５０（ａ）、５０（ｂ）及び６６との連結部をシールし、同時に封止部材１３６も押され、接続コネクタ２４のシール面２２と被覆シート３０との間のシール性を更に強固にする。すなわち、シール部材１２６及び封止部材１３６は、連結固定手段１３０が連結コネクタ５６を接続コネクタ２４に固定することにより機能する。封止部材１３６を備えない場合は、雌螺子部材１３４の下部が被覆シート３０に接触する位置（圧縮する位置）又はその内側に被覆シート３０の開口孔２８を配置する構造とすることで、上記と同様に機能させることができる。また、上記構造で被覆シート３０の接続コネクタ２４側に粘着層を設け、被覆シート３０を接続コネクタ２４に接着する構造とすることで、雌螺子部材１３４の下部が被覆シート３０を圧縮する面積及びシール面２２に接着する面積をより小さい面積で効果的に封止することができる為、シール面２２をより小さくでき、接続コネクタ２４をよりコンパクトにできる。
【００９６】
なお、シール部材１２６及び封止部材１３６の両方が、連結固定手段１３０が連結コネクタ５６を接続コネクタ２４に固定することにより機能する必要はなく、接続コネクタ２４と連結コネクタ５６の間のシールはシール部材１２６とは別のシール手段により行い、封止部材１３６のみが、連結固定手段１３０が連結コネクタ５６を接続コネクタ２４に固定することにより機能するように構成してもよい。
【００９７】
また、連結コネクタ５６の連結通路は１つの外部チューブ接続口まで貫通することに限定されず、少なくとも１つの外部チューブ接続口まで貫通すればよい。例えば、本発明の創傷部治療器具１０において、図１３（ａ）に示すように、連結コネクタ５６の吸引連結接続口５０（ａ）からの吸引連結通路５４（ａ）を分岐通路２００へ分岐し、分岐通路２００を圧力連結通路８２まで貫通させてもよい。すなわち、連結コネクタ５６の吸引連結通路（連結通路）５４（ａ）が、吸引外部チューブ接続口（外部チューブ接続口）５２（ａ）及び圧力外部チューブ接続口（外部チューブ接続口）７８の２つの外部チューブ接続口まで貫通してもよい。この場合、吸引接続通路２０（ａ）を介して閉塞部３４内の圧力を測定でき、圧力測定口又は圧力接続通路等の圧力を測定するための構造を、接続コネクタ２４側に設ける必要がない。
【００９８】
また、本発明の創傷部治療器具１０において、図１３（ｂ）に示すように、連結コネクタ５６の供給連結接続口５０（ｂ）からの供給連結通路５４（ｂ）を分岐通路２００へ分岐し、分岐通路２００を圧力連結通路８２まで貫通させてもよい。すなわち、連結コネクタ５６の供給連結通路（連結通路）５４（ｂ）が、供給外部チューブ接続口（外部チューブ接続口）５２（ｂ）及び圧力外部チューブ接続口（外部チューブ接続口）７８の２つの外部チューブ接続口まで貫通してもよい。この場合、供給接続通路２０（ｂ）を介して閉塞部３４内の圧力を測定でき、圧力測定口又は圧力接続通路等の圧力を測定するための構造を、接続コネクタ２４側に設ける必要がない。
【００９９】
閉塞部３４内の圧力が設定した圧力値よりも負圧（マイナス側）になった際に、閉塞部３４内に大気を導入するための大気開放弁が圧力外部チューブ（外部チューブ）４９または吸引外部チューブ（外部チューブ）４８（ａ）に設けられる場合がある。その際、図１３（ｂ）に示す創傷部治療器具１０の場合には、連結コネクタ５６の供給連結接続口５０（ｂ）に連通する圧力外部チューブ接続口（外部チューブ接続口）７８に接続された圧力外部チューブ（外部チューブ）４９に大気開放弁を設け、閉塞部３４内に大気を導入するような構成にすることで、大気を導入した場合にも閉塞部３４内の流れを乱すことなく圧力を調整することが可能となる。
【０１００】
以上、本発明の実施形態について説明したが、本願発明は上述の構成及び図示したものに限定されない。本発明は、その主旨を逸脱しない範囲で当業者の知識に基づき種々の改良、修正、変更を加えた態様で実施できるものである。
【符号の説明】
【０１０１】
１０：創傷部治療器具
１２（ａ）：吸引側面接続口（側面接続口）
１２（ｂ）：供給側面接続口（側面接続口）
１４：側面
１６（ａ）：吸引外部接続口（外部接続口）
１６（ｂ）：供給外部接続口（外部接続口）
１８：上面
２０（ａ）：吸引接続通路（接続通路）
２０（ｂ）：供給接続通路（接続通路）
２２：シール面
２４：接続コネクタ
２６：創傷部チューブ
２６（ａ）：吸引創傷部チューブ（創傷部チューブ）
２６（ｂ）：供給創傷部チューブ（創傷部チューブ）
２７（ａ）、２７（ｂ）：先端
２８：開口孔
３０：被覆シート
３２：創傷部
３４：閉塞部
３６：多孔質パッド
３８、３８（ａ）、３８（ｂ）：凹部
４０：下面
４２、４２（ａ）、４２（ｂ）：圧力測定口
４３：圧力外部接続口（外部接続口）
４５：圧力接続通路（接続通路）
４６：凸部
４８（ａ）：吸引外部チューブ（外部チューブ）
４８（ｂ）：供給外部チューブ（外部チューブ）
４９：圧力外部チューブ（外部チューブ）
５０（ａ）：吸引連結接続口（連結接続口）
５０（ｂ）：供給連結接続口（連結接続口）
５２（ａ）：吸引外部チューブ接続口（外部チューブ接続口）
５２（ｂ）：供給外部チューブ接続口（外部チューブ接続口）
５４（ａ）：吸引連結通路（連結通路）
５４（ｂ）：供給連結通路（連結通路）
５６：連結コネクタ（外部接続具）
５８：凹部
６０：溝
６２：支流通路
６６：圧力連結接続口（連結接続口）
７０、７４：シール部材
７８：圧力外部チューブ接続口（外部チューブ接続口）
８２：圧力連結通路（連結通路）
８４：皮膚
８６：係合溝（規制手段）
８８：凸部
９０：凹部
９２：中空部
９４：平面部
９６：吸引装置
９８：洗浄液供給装置
１００：選択手段
１２０：係合凸部
１２２：係合部材
１２４：係合凹部
１２６、１３６：シール部材
１２８、１３０：連結固定手段
１３２：雄螺子部
１３４：雌螺子部材
１３６：封止部材
２００：分岐通路
【図１】
2014239886.tif 000003
【図２】
2014239886.tif 000004
【図３】
2014239886.tif 000005
【図４】
2014239886.tif 000006
【図５】
2014239886.tif 000007
【図６】
2014239886.tif 000008
【図７】
2014239886.tif 000009
【図８】
2014239886.tif 000010
【図９】
2014239886.tif 000011
【図１０】
2014239886.tif 000012
【図１１】
2014239886.tif 000013
【図１２】
2014239886.tif 000014
【図１３】
2014239886.tif 000015